(57)【要約】    【課題】  畜産用飲水器において、水が給水カップから溢れて周囲を汚すのを防止すると共に、押圧板の裏側を清潔に保つ。    【解決手段】  吐出口と押圧板の間に、下部と左右側部に後方へ延設された止水部を有する吐出口カバーを設け、吐出口から供給される水の少なくとも一部を左右に振り分けてカップ前方で干渉させることにより水の勢いを失わせる。また給水カップの底部を平坦としてカップ前方の水の乗り越えを防ぐ。さらに吐出口カバーの前面下部に通水口を設けて、水の一部を押圧板の裏面へ供給することにより清掃しにくい押圧板の裏側に汚れが付着するのを防ぐ。  【選択図】  図２
2005323551.tif 000002
【特許請求の範囲】
【請求項１】
給水配管の端部に接続され、家畜が自ら押圧板を押すことにより吐出口を自ら開閉できる開閉手段と、給水カップとを備えた畜産用飲水器において、前記吐出口と押圧板の間に吐出口から供給される水の少なくとも一部を左右に振り分ける整流手段を設けたことを特徴とする畜産用飲水器の水流整流方法。
【請求項２】
前記給水カップが平坦な底部を有することを特徴とする請求項１記載の畜産用飲水器の水流整流方法。
【請求項３】
前記整流手段が供給口から供給される水の一部をさらに押圧板の裏面へ供給することを特徴とする請求項１または２記載の畜産用飲水器の水流整流方法。
【請求項４】
前記整流手段は、吐出口の前方に設置された略長方形の本体を有する板状部材であり、該本体の下方及び左右の縁が後方へ延設されて水の流通を規制する止水部を形成し、該下方の止水部と左右の止水部の間にはそれぞれ間隔を設けると共に、前記本体の下端付近には通水孔を設けたことを特徴とする請求項１ないし３のいずれか１項記載の畜産用飲水器の水流整流方法。
【請求項５】
請求項１ないし４のいずれか１項記載の畜産用飲水器。
【発明の詳細な説明】
【技術分野】
【０００１】
本発明は、畜舎等に装備される畜産用飲水器の水流整流方法に関するものである。
【背景技術】
【０００２】
図５は昭和５６年実用新案公開第１５０２７１号の公報に記載された従来の畜産用飲水器の中央縦断面図を示す。この家畜用給水装置は大きく給水配管１と、開閉手段２と、給水カップ３とで構成されている。開閉手段２は給水配管１の上端に継手本体２１を装着し、前面側にガイド２２を嵌装して給水弁２３を収容している。給水弁２３は後部のスプリング２４により閉弁位置に保持され、前面はガイド２２を挿通する前後摺動可能なプッシュロッド２５の後端に当接している。ガイド２２及び継手本体２１の下面には吐出口２６が設けられている。
【０００３】
プッシュロッド２５の前端は継手本体２１の前面から少し突き出して、継手本体２１の上部に水平ピン２７で枢支された押圧板２８の裏面に当接している。家畜が水を飲もうとして給水カップ３に口を入れると、鼻先が押圧板２８の前面に当たりこれを後方へ押込むので、プッシュロッド２５を介して給水弁２３が開弁され、吐出口２６より下向きに水が供給されて半球状の給水カップ３の底部に溜まる。そこで家畜は新鮮な水を飲むことができる。
【特許文献１】昭和５６年実用新案公開第１５０２７１号公報
【発明の開示】
【発明が解決しようとする課題】
【０００４】
上記公報記載の畜産用飲水器の場合、水は給水カップ３の底部に向けて下向きに噴出されるが、給水配管の水圧が高いと吐出流量が増え水が給水カップ３の前方の縁を乗り越えてカップ外まで飛び出してしまう問題があった。このように水が給水カップ３から溢れて周囲を汚すと、周囲の餌等が汚れて不衛生であるばかりでなく、家畜の嗜好性が落ち、餌の摂取量が減ってしまう問題がある。前方の乗り越えを防ぐために左か右に吐出口を向けると、遠心力により給水カップ３内をぐるぐる回り水圧によっては飛び出てしまう。従って乳牛等の家畜に充分に水を飲ませようとして、給水圧を上げ吐出量を増やそうとしても、思うように増やすことができなかった。
【０００５】
また、上記発明のように吐出口を下向きに設けて下方へ噴出させる場合、押圧板の裏側には水は当たらないので汚れが付着し、清掃しにくく不都合であった。
【課題を解決するための手段】
【０００６】
本出願の請求項１記載の発明は、家畜が自ら操作部材を押すことにより吐出口を自ら開閉できる開閉手段を備えた畜産用飲水器において、前記吐出口と操作部材の間に吐出口から供給される水の少なくとも一部を左右に振り分ける整流手段を設けたことを特徴とする畜産用飲水器及の水流整流方法により、上記の課題を解決する。なお、
【０００７】
本出願の請求項２ないし４記載の発明は、前記給水カップの底を平坦にすること、前記整流手段が供給口から供給される水の一部をさらに操作部材の裏面へ供給すること、前記操作部材の裏面を実質的に平滑な面とすることにより、さらに上記の課題を解決する。
【０００８】
好ましくは、前記整流手段は、吐出口の前方に設置された略長方形の本体を有する板状部材であり、該本体の下方及び左右の縁を後方へ延設して水の流通を規制する止水部を形成し、該下方の止水部と左右の止水部の間にはそれぞれ間隔を設けると共に、前記本体の下端付近には通孔を設けたものからなるものとすることができる。
【発明の効果】
【０００９】
畜産用飲水器の吐出口と操作部材の間に吐出口から供給される水の少なくとも一部を左右に振り分ける整流手段を設けると、吐出口から給水カップ前方へ向かう水の流れが防止又は抑制されるので、カップの縁を乗り越える水で周囲が汚れるのを防ぐことができる。整流手段で左右に振り分けられた水は、給水カップの周囲を回ってカップの前部でほぼ反対向きに合流し、干渉し合って勢いを失うので、給水配管の水圧が高くても給水カップの外への飛び出しを防止できる。さらに給水カップの底部を平坦にすると、底部からカップの縁に向かう水の流れが抑制されるので、半球状の給水カップと比べて水の飛び出しをいっそう効果的に防止できる。これにより、給水圧を上げて牛に充分水を飲ませることが可能となる。
【００１０】
また、前記整流手段が供給口から供給される水の一部をさらに開閉手段の裏面へ供給するようにすれば、清掃しにくい押圧板の裏側に汚れが付着するのを防ぐことができる。さらに前記押圧板の裏側を実質的に平滑な面とすればこの効果をより増大できる。
【発明を実施するための最良の形態】
【００１１】
以下、本発明を実施するための最良の形態を図を参照しつつ説明する。
【実施例１】
【００１２】
本発明の畜産用飲水器は、例えば図１に示すように牛舎の２頭の牛の繋留位置の間などに設置されるものであり、図２に詳細に示されるように、給水配管１、開閉手段２、給水カップ３からなる。（開閉手段２は実開昭５６−１５０２７１に記載されたのと略同様のものであるため共通の符号を用いて説明する。）給水配管１の上端にガイド２２と給水弁２３を備えた継手本体２１を装着しており、給水弁２３は後部のスプリング２４により閉弁位置に保持され、前面はプッシュロッド２５の後端に当接している。ガイド２２及び継手本体２１の下面には吐出口２６が設けられている。プッシュロッド２５の前端は継手本体２１の上部に水平ピン２７で枢支された押圧板２８の裏面に当接しており、操作部材である押圧板２８が後方に押されるとプッシュロッド２５を介して給水弁２３が開弁され、吐出口２６より下向きに水が供給される。
【００１３】
押圧板２８の形状は略長方形のへら状で、家畜が鼻先で押しやすいように側面視が後方に凹んだ弧状をなし裏面は平滑な面となっている。押圧板２８の左右縁の上端部は後方に突出して水平ピンの枢支部となっている。給水カップ３は平坦な底部３１と曲面状の外周部３２を有しており、底部３１と外周部３２の境界部分で最もカーブが深い形状になっている。
【００１４】
吐出口と押圧板の間には、吐出口から供給される水を分岐させる整流手段である吐出口カバー４が設けられている。吐出口カバー４は、図３に示すように吐出口の前方に設置された略長方形の本体４１を有する板状部材であり、該本体の下方及び左右の縁が後方へ延設されて水の流通を規制する止水部を形成し、該下方の止水部４２と左右の止水部４３の間にはそれぞれ間隔を設けると共に、前記本体の下端付近には通水孔４４を設けてある。
【００１５】
吐出口から吐出された水は、吐出口カバー本体４１の裏面に沿って流れ、下方の止水部４２によって一旦せき止められて前方へ進む勢いが抑制される。下方の止水部４２と左右の止水部４３の間に間隔が設けられているので、せき止められた水の大部分はここから左右に振り分けられ、図３のように給水カップ３の内面の形状に従って、底部３１と外周部３２の境界部分を内側に回り込むように流れ、給水カップの前部中央で左右から合流し干渉して勢いを失い、カップ底部に溜まる。
【００１６】
また止水部４２でせき止められた水の一部は通水孔４４より吐出口カバー４の表側へ吐出され、押圧板２８の裏面に当たってカップ底部へ流下する。押圧板２８の裏面が平滑になっていることにより清掃作用が促進される。従って水の吐出時は常時押圧板２８の裏側を水が流れていることになり、汚れの付着を防止できる。
【産業上の利用可能性】
【００１７】
本発明によれば、水の吐出時に水圧が変動しても給水カップ外へ水が飛び出すことが防止され、また押圧板の見えない部分である裏側が常に清掃されるので、畜舎及びカップ内を衛生的に保つことができ、健康な家畜の育成と作業環境の改善に多大な効果がある。
【図面の簡単な説明】
【００１８】
【図１】畜産用飲水器の設置状態を示す側面図
【図２】実施例１の畜産用飲水器の要部縦断面図
【図３】実施例１の吐出口カバーの形状を示す三面図
【図４】実施例１の畜産用飲水器における水の流れを示す平面図
【図５】従来技術を示す説明図
【符号の説明】
【００１９】
１  給水配管
２  開閉手段
３  給水カップ
４  吐出口カバー
４１  カバー本体
４２  下方止水部
４３  左右止水部
４４  通水孔
【図１】
2005323551.tif 000003
【図２】
2005323551.tif 000004
【図３】
2005323551.tif 000005
【図４】
2005323551.tif 000006
【図５】
2005323551.tif 000007